(57)【要約】【課題】望みの縮尺で望みの範囲の地図を迅速に表示させることができる地図表示装置を提供する。【解決手段】サムネイル表示ボタンが押された場合には、サムネイル地図表示手段５２により、縮尺が互いに異なる複数の縮小表示地図を同時にディスプレイ１０に表示する。さらに、それら複数の縮小表示地図を、地図スクロール手段６０により同時にスクロール可能とする。そして、選択地図表示手段５０は、通常サイズ表示ボタンが押された場合には、複数の縮小表示地図から地図選択手段５６によって選択されている縮小表示地図を通常サイズ地図としてディスプレイ１０に拡大表示する。このようにすることにより、地図の拡大・縮小とスクロールとを何度も繰り返すことなく、望みの縮尺で望みの範囲の地図を表示することができる。【選択図】図４
2007133231.tif 000002
【特許請求の範囲】
【請求項１】
画面上に表示する地図の縮尺および表示地図範囲を変更することができる地図表示装置であって、
表示中心地点が共通し、縮尺が互いに異なる複数の地図を同時に表示する複数地図同時表示手段を含むことを特徴とする地図表示装置。
【請求項２】
前記複数地図同時表示手段によって表示された全ての地図の表示地図範囲を、所定のキー操作に基づいて同時に変更する表示地図範囲同時変更手段をさらに含むことを特徴とする請求項１に記載の地図表示装置。
【請求項３】
前記表示地図範囲同時変更手段は、前記複数地図同時表示手段によって表示された全ての地図の表示地図範囲を、地図の縮尺に関係なく、同じ画素数分だけ同時に変更するものであることを特徴とする請求項２に記載の地図表示装置。
【請求項４】
前記表示地図範囲同時変更手段は、前記複数地図同時表示手段によって表示された全ての地図の表示地図範囲を、実際の移動距離が同じになるように変更するものであることを特徴とする請求項２に記載の地図表示装置。
【請求項５】
前記複数地図同時表示手段によって表示される複数の地図の表示中心地点を施設名称で指定できる中心地点指定手段をさらに備え、
前記複数地図表示手段は、その中心地点指定手段によって地図の表示中心地点が所定の施設名称に指定された場合には、縮尺が互いに異なる複数の地図の一つとして、その施設の全体を最も大きく表示する縮尺の地図を表示させることを特徴とする請求項１乃至４のいずれかに記載の地図表示装置。
【請求項６】
前記複数地図同時表示手段によって同時に表示された複数の地図から一つの選択地図を選択する地図選択手段と、
その地図選択手段によって選択された選択地図を所定の選択地図表示領域に表示する選択地図表示手段とをさらに備え、
前記複数地図同時表示手段は、前記選択地図表示領域に、前記選択地図に代えて前記複数の地図を同時に表示するものであることを特徴とする請求項１乃至５のいずれかに記載の地図表示装置。
【請求項７】
請求項１乃至６のいずれかに記載の地図表示装置を備えていることを特徴とするナビゲーション装置。
【発明の詳細な説明】
【技術分野】
【０００１】
本発明は、画面上に表示する地図の縮尺および表示地図範囲を変更することができる地図表示装置、およびその地図表示装置を備えたナビゲーション装置に関する。
【背景技術】
【０００２】
たとえば、特許文献１に記載されているカーナビゲーションシステムなど、画面上に地図を表示することができる地図表示装置が多数知られている。地図表示装置は、通常、画面上に表示する地図の縮尺および表示地図範囲を変更することができるようになっている。
【０００３】
地図表示装置において地図の縮尺を行うためには、縮尺変更キー（拡大キーおよび縮小キー）を操作する。また、表示地図範囲を変更するには、スクロールキーを操作する。そして、それら縮尺変更キーやスクロールキーを操作することにより、ユーザは、望みの縮尺で望みの範囲の地図を画面に表示させることができる。
【特許文献１】特開２００−１４４８１号公報
【発明の開示】
【発明が解決しようとする課題】
【０００４】
縮尺変更キーおよびスクロールキーを用いることによって、望みの縮尺で望みの範囲の地図を表示させようとする場合、縮尺変更キーおよびスクロールキーを何度も操作しなければならず、その操作が面倒な場合も多かった。
【０００５】
たとえば、詳細な地図が表示されており地図の縮尺は望みどおりとなっているが、自分が表示させたい地点が表示されていない状態から、自分が表示させたい地点を表示させるためには、自分が表示させたい地点が表示されるまでスクロールキーを押し続ける方法がある。しかし、この方法では、自分の表示させたい地点が現在表示されている表示地図範囲から遠い場合には、スクロールキーを比較的長時間押し続けなければならない。
【０００６】
また、別の方法として、一旦、縮尺を変更して粗い地図とし、その粗い縮尺の地図をスクロールして自分の表示させたい地点を表示させ、その後に、再度、縮尺を変更して詳細な地図を表示させる方法がある。この場合には、前者の方法に比べてスクロールさせる手間は減少するが、その代わりに、地図の縮尺を変更する手間が増えてしまう。また、粗い地図上では自分の表示させたい地点が入っていても、縮尺を細かくしていった場合に、自分の表示させたい地点が表示範囲から外れてしまうということも生じる。この場合には、再度、表示地図範囲を変更しなければならないことになる。
【０００７】
本発明は、この事情に基づいて成されたものであり、その目的とするところは、望みの縮尺で望みの範囲の地図を迅速に表示させることができる地図表示装置を提供することにある。
【課題を解決するための手段】
【０００８】
その目的を達成するための請求項１記載の発明は、画面上に表示する地図の縮尺および表示地図範囲を変更することができる地図表示装置であって、表示中心地点が共通し、縮尺が互いに異なる複数の地図を同時に表示する複数地図同時表示手段を含むことを特徴とする。
【０００９】
このように、表示中心地点が共通し、縮尺が互いに異なる複数の地図を同時に表示するようにすれば、それら縮尺が互いに異なる複数の地図を比較することにより、適切な縮尺を判断することができるようになることから、拡大・縮小の手間が軽減する。従って、迅速に望みの縮尺で望みの範囲の地図を表示できるようになる。
【００１０】
ここで、好ましくは、請求項１記載の地図表示装置は、請求項２記載のように、前記複数地図同時表示手段によって表示された全ての地図の表示地図範囲を、所定のキー操作に基づいて同時に変更する表示地図範囲同時変更手段をさらに含むものである。
【００１１】
このように、縮尺が互いに異なる複数の地図の表示地図範囲を同時に変更できるようにすれば、一層迅速に、望みの縮尺で望みの範囲の地図を表示させることができるようになる。
【００１２】
上記表示地図範囲同時変更手段は、請求項３または４のようにして表示地図範囲を変更することができる。すなわち、請求項３記載の発明は、請求項２に記載の地図表示装置において、前記表示地図範囲同時変更手段は、前記複数地図同時表示手段によって表示された全ての地図の表示地図範囲を、地図の縮尺に関係なく、同じ画素数分だけ同時に変更するものであることを特徴とする。
【００１３】
また、請求項４記載の発明は、請求項２に記載の地図表示装置において、前記表示地図範囲同時変更手段は、前記複数地図同時表示手段によって表示された全ての地図の表示地図範囲を、実際の移動距離が同じになるように変更するものであることを特徴とする。
【００１４】
請求項３のようにすれば、縮尺の大きい地図を基準として全ての地図の表示地図範囲を移動させたとしても、縮尺の小さい地図の画面移動速度が大きくなりすぎることがない。一方、請求項４のようにすれば、表示地図範囲を変更した後でも、複数の地図の表示中心地点が同じ地点に維持される。
【００１５】
また、請求項５記載の発明は、前記複数地図同時表示手段によって表示される複数の地図の表示中心地点を施設名称で指定できる中心地点指定手段をさらに備え、前記複数地図表示手段は、その中心地点指定手段によって地図の表示中心地点が所定の施設名称に指定された場合には、縮尺が互いに異なる複数の地図の一つとして、その施設の全体を最も大きく表示する縮尺の地図を表示させることを特徴とする。
【００１６】
このように縮尺が互いに異なる複数の地図の一つとしてその施設の全体を最も大きく表示する縮尺の地図を表示すれば、その施設内の道路、駐車場などの位置関係を容易に確認できるようになり、或いは、その施設内のより具体的な地点を中心とする詳細地図を表示させる操作が容易となる。
【００１７】
また、請求項６記載の発明は、請求項１乃至５のいずれかに記載の地図表示装置において、前記複数地図同時表示手段によって同時に表示された複数の地図から一つの選択地図を選択する地図選択手段と、その地図選択手段によって選択された選択地図を所定の選択地図表示領域に表示する選択地図表示手段とをさらに備え、前記複数地図同時表示手段は、前記選択地図表示領域に、前記選択地図に代えて前記複数の地図を同時に表示するものであることを特徴とする。
【００１８】
このように、選択地図表示領域に、選択地図に代えて前記複数の複数の地図を表示するようにすれば、同じ表示領域を選択地図表示手段および複数地図同時表示手段が共通して使用することになるので、地図を表示することができる範囲に制約がある装置であっても、縮尺が互いに異なる複数の地図を表示することができる。
【００１９】
また、請求項１乃至６のいずれかに記載の地図表示装置は、請求項７記載のように、ナビゲーション装置に備えられる。しかし、請求項1乃至６の地図表示装置は、必ずしもナビゲーション装置に備えられる必要はなく、ナビゲーション機能を有さない単なる地図表示装置であってもよいし、ナビゲーション機能以外の機能、たとえば、施設検索機能を有していてもよい。
【発明を実施するための最良の形態】
【００２０】
以下、本発明の実施の形態を、図面に基づいて説明する。図１は、本発明の地図表示装置としての機能を備えたカーナビゲーション装置の全体構成を示すブロック図である。
【００２１】
図１において、カーナビゲーション装置は、位置検出器１、地図データ入力器６、操作スイッチ群７、外部メモリ９、ディスプレイ１０、送受信機１１、音声コントローラ１２、スピーカ１３、音声認識装置１４、マイク１５、リモコンセンサ１６、リモートコントロール端末(以下、リモコンと称する)１７と、これら各装置が接続された制御装置８を備えている。
【００２２】
また、制御装置８には、車両周辺を撮像するカメラ２０からの信号、および、車両に備えられている種々のセンサ２１からの信号も入力される。
【００２３】
制御装置８は、通常のコンピュータであり、内部には周知のＣＰＵ、ＲＯＭ、ＲＡＭ、Ｉ／Ｏインターフェースおよびこれらの構成を接続するためのバスラインを備えている。ＲＯＭには、制御装置８が実行するためのプログラムが書き込まれており、このプログラムに従ってＣＰＵ等が所定の演算処理を実行する。
【００２４】
位置検出器１は、車両の絶対方位を検出するための地磁気センサ２、車両の相対方位を検出するためのジャイロスコープ３、車両の走行距離を検出する距離センサ４、および衛星からの電波に基づいて車両の位置を測定するグローバルポジショニングシステム（ＧＰＳ）のためのＧＰＳ受信機５を有している。これらのセンサ等２、３、４、５は、いずれも周知のものである。これらのセンサ等２、３、４、５は各々が性質の異なる誤差を持っているため、複数のセンサ等２、３、４、５により各々を補完しながら使用するように構成されている。なお、精度によっては、上述したうちの一部で位置検出器１を構成してもよく、更に、図示しないステアリングの回転センサ、各転動輪の車速センサ等を用いてもよい。
【００２５】
地図データ入力器６は、たとえばＤＶＤ−ＲＯＭ、ＣＤ−ＲＯＭ、ハードディスクなどの図示しない記憶媒体を備え、その記憶媒体には、デジタル地図データ群が格納されている。このデジタル地図データ群は、互いに縮尺の異なる複数のデジタル地図データから構成されており、各デジタル地図データは、道路データ、背景データ、文字データおよび施設データなどの各種情報を含んでいるが、縮尺の小さい地図ほど詳細な情報を有している。この地図データ入力器６は、制御装置８からの要求信号に応じて、記憶媒体に記憶されているデジタル地図データ群から所定のデータを制御装置８に入力する。
【００２６】
操作スイッチ群７は、ディスプレイ１０と一体になったタッチスイッチもしくはディスプレイ１０の周辺に設けられるメカニカルなスイッチ等からなる。操作スイッチ群７は、ディスプレイ１０に表示された地図の縮尺変更、メニュー表示選択、目的地設定、経路案内開始、現在位置修正、表示画面変更、音量調整等の各種入力に使用される。
【００２７】
リモコン１７には、図示しない複数の操作スイッチが設けられ、その操作スイッチの操作により操作スイッチ群７と同様の入力操作が行える。リモコン１７に入力された入力操作を表す信号は、リモコンセンサ１６を介して制御装置８へ供給される。
【００２８】
外部メモリ９は、たとえばメモリカード等の書き込み可能な記憶媒体である。この外部メモリ９には、ユーザによって設定された自宅位置や、テキストデータ、画像データ、音声データ等の各種データが記憶される。
【００２９】
ディスプレイ１０は、たとえば液晶ディスプレイ、有機ＥＬディスプレイによって構成される。このディスプレイ１０は、一つのディスプレイであってもよいし、また、複数のディスプレイから構成されてもよい。複数のディスプレイから構成される場合には、たとえば、ダッシュボードの運転席前方、ダッシュボードの助手席前方、ダッシュボードの中央に配置される。また、後席用として、車室天井の車両前後方向中央付近や、前席の後席側面などにディスプレイが配置されてもよい。
【００３０】
このディスプレイ１０には、地図表示領域２２が備えられている。また、その他の領域には、たとえば、現在時刻や渋滞情報などが表示される。
【００３１】
図２は、ディスプレイ１０の地図表示領域２２の表示例であり、図２には、地図表示領域２２の大きさと略一致する通常サイズ地図２４が表示されている。この通常サイズ地図２４には、図２に示すように、地図の中心地点（すなわち表示中心地点）を示す中心地点マーク２５、方位を示す方位記号２６、縮尺を示す縮尺記号２７、スクロール可能方向を示す矢印２８、表示施設名称２９、および、各種のボタン３０などが重畳表示されている。
【００３２】
図２には、ボタン３０として、戻るボタン３１、広域ボタン３２、目的地セットボタン３３、サムネイル表示ボタン３４、詳細ボタン３５、情報ボタン３６が表示されている。これらの各種ボタン３０に関する機能は、ディスプレイ１０と一体となったタッチスイッチのボタン３０に対応する部分が押されることにより実行される。
【００３３】
戻るボタン３１は、地図表示領域２２の表示態様を戻るボタン３１が操作される直前の状態に戻すためのボタンである。広域ボタン３２は、通常サイズ地図２４の縮尺を一段階大きくしてより広い範囲を地図表示領域２２に表示するためのボタンである。一方、詳細ボタン３５は、通常サイズ地図２４の縮尺を一段階小さくしてより狭い範囲の詳細な地図を表示するためのボタンである。
【００３４】
目的地セットボタン３３は、目的地設定画面を表示するためのボタンである。この目的地設定画面は、本実施形態では、地図表示領域２２とは別の所定の領域に表示される。ただし、地図表示領域２２に地図に代えて目的地設定画面を表示するようにしてもよい。
【００３５】
前述の表示施設名称２９には、目的地設定画面の操作によって設定された目的施設の名称が表示される。情報ボタン３６は、設定された目的地に関する情報を表示するためのボタンである。
【００３６】
サムネイル表示ボタン３４は、地図表示領域２２に表示させる地図を、通常サイズ地図２４から複数の縮小表示地図に切り替えるためのボタンである。図３は、サムネイル表示ボタン３４が押された後の地図表示領域２２を例示する図である。
【００３７】
図３に示す例では、地図表示領域２２に互いに縮尺の異なる８つの縮小表示地図４０Ａ〜４０Ｈが表示されている。これら８つの縮小表示地図４０Ａ〜４０Ｈの縮尺は予め定められており、４０Ａ、４０Ｂ、４０Ｃ、４０Ｄ、４０Ｅ、４０Ｆ、４０Ｇ、４０Ｈの順に縮尺が大きくなる、すなわち、広域の地図になる。また、これら８つの縮小表示地図４０Ａ〜Ｈの中心地点は、全て、サムネイル表示ボタン３４が押される直前に表示されていた通常サイズ地図２４と同じ地点である。そして、その通常サイズ地図２４の縮尺と同じまたはそれに最も近似する縮小表示地図４０（図３では、縮小表示地図４０Ｄ）の縁部には、それが現在選択されていることを示す選択枠４２が表示されている。
【００３８】
また、縮小表示地図４０が表示されている状態では、地図表示領域２２には、目的地セットボタン３３および通常サイズ表示ボタン４４が表示されている。通常サイズ表示ボタン４４は、地図表示領域２２に表示させる地図を通常サイズ地図２４に戻すためのボタンであり、この通常サイズ表示ボタン４４が押されると、そのとき、選択枠４２が表示されていた縮小表示地図４０が通常サイズに拡大されて、図２に示すように、地図表示領域２２に通常サイズ地図２４として表示される。
【００３９】
このように、通常サイズ地図２４は、複数の縮小表示地図４０から選択された一つの地図が拡大表示されたものであることから選択地図であり、その選択地図（通常サイズ地図２４）を表示している地図表示領域２２は、選択地図表示領域である。
【００４０】
図１に戻って、送受信機１１は、外部との通信接続をするための通信機であり、道路に敷設されたビーコンや各地のＦＭ放送局を介して、ＶＩＣＳ（Vehicle Information and Communication System）（登録商標）センタから提供される道路交通情報、気象情報、日付情報、施設情報、広告情報、位置情報を受信するＶＩＣＳセンサと接続され、この道路交通情報等を制御装置８へ送信する。なお、この送受信機１１によって受信される位置情報は、位置検出器１からの情報に基づいて決定される車両の位置を修正するのに利用される。また、送受信機１１は、制御装置８で処理した情報を送受信機１１から出力することもできる。
【００４１】
スピーカ１３は、音声コントローラ１２から入力された音声出力信号に基づき所定の音声(案内のための音声や画面操作の説明、音声認識結果等)を外部に出力する。
【００４２】
マイク１５は、操作者が発声した音声を電気信号として音声認識装置１４に入力する。音声認識装置１４は、マイク１５から入力された操作者の入力音声と、内部に記憶する認識辞書(不図示)中の語彙データ（比較対照パターン）とを照合し、最も一致度の高いものを認識結果として音声コントローラ１２に入力する。
【００４３】
音声コントローラ１２は、音声認識装置１４を制御するとともに、音声入力のあった操作者に対し、スピーカ１３を通じてトークバック出力制御（音声出力）する。また、音声認識装置１４の認識結果を制御装置８に入力する処理も行う。
【００４４】
制御装置８は、音声認識装置１４からの情報に基づき、操作者の発声に対する所定の処理を実行するとともに、操作スイッチ群７あるいはリモコン１７の入力操作に対する所定の処理を実行する。この処理としては、たとえば、メモリ９への地図データの記憶処理、地図縮尺変更処理、メニュー表示選択処理、目的地設定処理、経路探索実行処理、経路案内開始処理、現在位置修正処理、表示画面変更処理、音量調整処理等がある。また、制御装置８で処理された経路案内音声情報等は、音声コントローラ１２を介してスピーカ１３から適宜報知される。
【００４５】
図４は、制御装置８の地図表示に関する機能を示すブロック図である。なお、図４において、入力部５１とは、操作スイッチ群７、リモコン１７、マイク１５を意味する。
【００４６】
選択地図表示手段５０は、地図データ入力器６から所定のデータを読み出して地図表示領域２２に通常サイズ地図２４を表示させる。
【００４７】
サムネイル地図表示手段５２は複数地図同時表示手段として機能するものであり、前述のサムネイル表示ボタン３４が押された場合に、図３に例示したような、中心地点をサムネイル表示ボタン３４が押される直前に表示されていた通常サイズ地図２４と同一の中心地点とし、且つ、互いに異なる縮尺に予め設定された複数の縮小表示地図４０を地図表示領域２２に表示する。また、それら複数の縮小表示地図４０に加えて、前述の通常サイズ表示ボタン４４および目的地セットボタン３３を地図表示領域２２の所定位置に表示する。
【００４８】
目的地設定手段５４は中心地点指定手段として機能するものであり、目的地設定画面が表示されている状態で入力部５１の操作に基づいて指定される目的地を、地図データ入力器６に格納されているデジタル地図データから検索して、地図表示領域２２に表示する地図の表示中心地点となる目的地を設定する。そして、設定した目的地を、選択地図手段５０およびサムネイル地図表示手段５２に出力する。なお、目的地は、住所、施設名称、電話番号等によって指定される。
【００４９】
選択地図表示手段５０およびサムネイル地図表示手段５２は、目的地設定手段５４から目的地が入力された場合には、地図データ入力器６から所定のデータを読み出して、その目的地を表示中心地点とする地図を再表示する。
【００５０】
この目的地設定手段５４は、施設名称を目的地として設定することも可能となっている。選択地図表示手段５０およびサムネイル地図表示手段５２は、目的地として施設名称が入力された場合には、施設名称毎に予め定められている地点（たとえば施設の中心地点）を表示中心地点として地図を再表示する。さらに、サムネイル地図表示手段５２は、目的地として予め設定されている大面積施設の施設名称が入力された場合には、予め設定された縮尺の縮小表示地図４０に加えて、その大面積施設の全体を最も大きく表示する縮尺の縮小表示地図を地図表示領域２２に表示する。
【００５１】
なお、この大面積施設としては、予め設定されている複数の縮尺の地図のうちの最も縮尺が小さい地図（すなわち最も詳細な地図）には施設全体が表示されない施設が指定されており、そのような施設としては、たとえば、空港がある。これらの大面積施設に対しては、デジタル地図データに、その大面積施設の全体を最も大きく表示する縮尺に対応する詳細さを有する縮小表示地図４０用のデータが含まれており、そのデータを用いて大面積施設の全体を最も大きく表示する縮小表示地図４０が表示される。
【００５２】
地図選択手段５６は、地図表示領域２２にサムネイル地図表示手段５２により複数の縮小表示地図４０が表示されている状態で、十字方向スイッチなどの所定のスイッチが操作されたことに基づいて、選択枠４２をある縮小表示地図４０から別の縮小表示地図４０へ移動させ、また、その選択枠４２によって囲まれている縮小表示地図４０を選択地図として記憶する。
【００５３】
前述の選択地図表示手段５０は、複数の縮小表示地図４０とともに表示されている通常サイズ表示ボタン４４が押された場合には、そのとき地図選択手段５６によって記憶されている選択地図を、通常サイズ地図４０として地図表示領域２２の全体に拡大表示する。
【００５４】
縮尺変更手段５８は、選択地図表示手段５０によって地図表示領域２２に通常サイズ地図２４が表示されている状態で、広域ボタン３２または詳細ボタン３５が押された場合に、地図データ入力器６から必要なデータを読み出して、通常サイズ地図２４の縮尺を変更する。
【００５５】
地図スクロール手段６０は、所定のスクロールボタンが操作された場合には、地図データ入力器６から必要なデータを読み出しつつ、地図表示領域２２に表示されている地図をスクロールボタンによって定まる方向にスクロールさせる。なお、地図表示領域２２に複数の縮小表示地図４０が表示されている場合、地図表示領域２２に表示されている全ての縮小表示地図４０を同時に同じ画素数分だけスクロールさせる。この地図スクロール手段６０が表示地図範囲同時変更手段に相当する。
【００５６】
図５は、サムネイル表示ボタン３４が押されたときに制御装置８が実行する処理を示すフローチャートである。
【００５７】
図５において、まず、ステップＳ５１では、サムネイル表示ボタン３４が押された時点ではそのサムネイル表示ボタン３４とともに通常サイズ地図２４が表示されているので、表示中心地点をその通常サイズ地図２４と同じ中心地点とする予め設定された複数の縮尺の縮小表示地図４０と、目的地セットボタン３３と通常サイズ表示ボタン４４とを地図表示領域２２に表示する。
【００５８】
そして、続くステップＳ５２では、通常サイズ表示ボタン４４が押されたか否かを判断する。この判断が肯定された場合には、ステップＳ５３において、そのとき選択枠４２によって囲まれている縮小表示地図４０（すなわち選択地図）を、通常サイズ地図２４として地図表示領域２２に拡大表示する。また、それとともに、複数のボタン３０等も地図表示領域２２に表示する。
【００５９】
一方、ステップＳ５２の判断が否定された場合には、縮小表示地図４０とともに表示される目的地セットボタン３３が押されたか否かをさらに判断する。目的地セットボタン３３が操作されない場合には後述するステップＳ５８を直接実行する。一方、ステップＳ５４が肯定判断である場合には、ステップＳ５５において、目的地セットボタン３３が押されることにより表示される目的地設定画面において、所定の大面積施設が指定されたか否かをさらに判断する。
【００６０】
このステップＳ５５の判断が否定された場合、すなわち、指定された施設が大面積施設ではない場合には、全ての縮小表示地図４０の表示中心地点を目的地設定で設定された地点として、全ての縮小表示地図４０を再表示する。一方、ステップＳ５５の判断が肯定された場合、すなわち、指定された施設が所定の大面積施設である場合には、全ての縮小表示地図４０の表示中心地点をその指定された施設として、予め設定された縮尺の複数の縮小表示地図４０を表示するとともに、その大面積施設の全体がちょうど入る最適な縮尺（すなわち、その大面積施設の全体を最も大きく表示する縮尺）の縮小表示地図４０Ｉを表示する。なお、この最適な縮尺の縮小表示地図４０Ｉは、縮尺順に縮小表示地図４０が並ぶ位置に配置される。
【００６１】
図６は、ステップＳ５７を実行したときの地図表示領域２２の表示例である。図６に示す例は、最適な縮尺の縮小表示地図４０Ｉは、縮小表示地図４０Ｄと４０Ｅとの間に配置されている。
【００６２】
ステップＳ５６またはステップＳ５７の実行後、或いは、ステップＳ５４が否定判断された場合には、ステップＳ５８において、スクロール操作があったか否かを判断する。この判断が否定された場合には、前述のステップＳ５２以下を繰り返し実行する。一方、ステップＳ５８の判断が肯定された場合には、ステップＳ５９において、全ての縮小表示地図４０を、スクロール操作に基づいて定まる方向へ同時に同じ画素数分だけスクロールさせる。
【００６３】
以上、説明した本実施形態によれば、サムネイル表示ボタン３４が押された場合には、サムネイル地図表示手段５２により、縮尺が互いに異なる複数の縮小表示地図４０を同時に表示しており、また、それら複数の縮小表示地図４０は、地図スクロール手段６０により同時にスクロール可能となっていることから、迅速に望みの縮尺で望みの範囲の地図を表示できる。
【００６４】
以上、本発明の実施形態を説明したが、本発明は上述の実施形態に限定されるものではなく、次の実施形態も本発明の技術的範囲に含まれ、さらに、下記以外にも要旨を逸脱しない範囲内で種々変更して実施することができる。
【００６５】
たとえば、前述の実施形態の地図スクロール手段６０は、複数の縮小表示地図４０を同時に同じ画素数分だけスクロールさせていたが、それら複数の縮小表示地図４０を表示中心地点の実際の移動距離が同じになるようにスクロールさせてもよい。なお、この場合、そのとき選択枠４２によって選択されている縮小表示地図４０を基準として他の縮小表示地図４０のスクロール速度を決定する。
【００６６】
また、前述の実施形態では、表示地図範囲同時変更手段に相当する手段として地図スクロール手段６０が備えられており、複数の縮小表示地図４０はスクロールさせられることにより表示地図範囲が連続的に変更させられていたが、複数の縮小表示地図４０の表示地図範囲が逐次的に変更されるようになっていてもよい。
【００６７】
また、縮小表示地図４０の表示地図範囲が変更可能となっていなくてもよい。この場合でも、一つの縮小表示地図４０を選択して通常サイズ地図２４を表示させた後に、その通常サイズ地図２４をスクロール等させることが可能であることから、従来よりは迅速に望みの範囲の地図を表示させることができる。
【００６８】
また、複数の縮小表示地図４０の表示地図範囲が同時に変更可能となっておらず、それら複数の縮小表示地図４０の表示地図範囲を個別に変更するようになっていてもよい。
【００６９】
また、前述の実施形態では、縮尺が互いに異なる複数の地図として、通常サイズ地図２４よりも小さい縮小表示地図４０を表示していたが、ディスプレイ１０の表示領域に余裕がある場合には、通常サイズ地図２４と同じサイズの地図を表示してもよい。
【００７０】
また、前述の実施形態では、地図表示領域２２を通常サイズ地図２４の表示領域として使用し、また、縮小表示地図４０の表示領域としても使用していたが、縮小表示地図４０を通常サイズ地図２４とは別の表示領域に表示するようにしてもよい。この場合、常時、縮小表示地図４０を表示するようにしてもよい。
【００７１】
また、前述の実施形態では、デジタル地図データに、大面積施設の全体がちょうど入る縮小表示地図４０を表示するためのデータが含まれていたが、大面積施設の全体がちょうど入る縮小表示地図４０を、通常サイズ地図２４を表示するためのデジタル地図データから作成してもよい。なお、その際には、大面積施設がちょうど入る縮小表示地図４０よりも縮尺の小さい（すなわち詳細な）地図データを用いて、両者の縮尺の差に応じて表示する情報を最適化することが好ましい。この最適化とは、使用するデジタル地図データの縮尺と、大面積施設がちょうど入る縮小表示地図４０の縮尺との差に応じて、道路データなどのデータの一部を削除して大面積施設がちょうど入る縮小表示地図４０を作成することである。
【図面の簡単な説明】
【００７２】
【図１】本発明の地図表示装置としての機能を備えたカーナビゲーション装置の全体構成を示すブロック図である。
【図２】ディスプレイ１０の地図表示領域２２に、地図表示領域２２の大きさと略一致する通常サイズ地図２４が表示されている例である。
【図３】サムネイル表示ボタン３４が押された後の地図表示領域２２を例示する図である。
【図４】制御装置８の地図表示に関する機能を示すブロック図である。
【図５】サムネイル表示ボタン３４が押されたときに制御装置８が実行する処理を示すフローチャートである。
【図６】図５のステップＳ５７を実行したときの地図表示領域２２の表示例である。
【符号の説明】
【００７３】
１０：ディスプレイ
２２：地図表示領域（選択図表示領域）
２４：通常サイズ地図
４０：縮小表示地図
４２：選択枠
５０：選択地図表示手段
５２：サムネイル地図表示手段（複数地図同時表示手段）
５４：目的地設定手段（中心地点指定手段）
５６：地図選択手段
５８：縮尺変更手段
６０：地図スクロール手段（表示地図範囲同時変更手段）
【図１】
2007133231.tif 000003
【図２】
2007133231.tif 000004
【図３】
2007133231.tif 000005
【図４】
2007133231.tif 000006
【図５】
2007133231.tif 000007
【図６】
2007133231.tif 000008